(57)【特許請求の範囲】
【請求項１】
第１充電端子および第１データ端子を有する台座と、前記台座に装着されたときに前記第１充電端子および前記第１データ端子にそれぞれ接続される第２充電端子および第２データ端子を有する携帯端末とを備える携帯端末記録システムであって、
前記台座は、
充電電力を前記第１充電端子に供給する第１供給手段、
コンテンツデータを前記第１データ端子に供給する第２供給手段、
前記第２供給手段の供給動作を第１通知に応答して起動する起動手段、および
前記第２供給手段の供給動作を第２通知に応答して停止する停止手段を備え、
前記携帯端末は、
前記第２充電端子に供給された充電電力によって充電されるバッテリ、
前記第２データ端子に供給されたコンテンツデータを記録する端末側記録手段、
前記バッテリの電圧が第１閾値以上であるか否かを前記携帯端末が前記台座に装着された状態において繰り返し判別する判別手段、
前記判別手段の判別結果が否定的な結果から肯定的な結果に更新されたとき前記第１通知を発行する第１発行手段、および
前記判別手段の判別結果が前記肯定的な結果から前記否定的な結果に更新されたとき前記第２通知を発行する第２発行手段を備える、携帯端末記録システム。
【請求項２】
前記台座は、
所望のコンテンツデータを受信する受信手段、および
前記受信手段によって受信されたコンテンツデータを記録する台座側記録手段をさらに備え、
前記第２供給手段は前記台座側記録手段に記録されたコンテンツデータを前記第１データ端子に供給する、請求項１記載の携帯端末記録システム。
【請求項３】
前記携帯端末は、
記録予約情報を前記台座に送信する送信手段、および
記録不能通知に対応する情報を表示する第１情報表示手段をさらに備え、
前記台座は、前記台座側記録手段が前記送信手段によって送信された記録予約情報に従うコンテンツデータを記録できる空き容量を有しないとき前記記録不能通知を発行する記録不能通知発行手段をさらに備える、請求項２記載の携帯端末記録システム。
【請求項４】
前記台座は、
前記第２供給手段によって注目されたコンテンツデータを前記第２供給手段の供給動作が完了した後に前記台座側記録手段から削除する第１削除手段、および
前記第１削除手段の削除処理に関連して完了通知を発行する完了通知発行手段をさらに備え、
前記携帯端末は前記完了通知に対応する情報を表示する第２情報表示手段をさらに備える、請求項２または３記載の携帯端末記録システム。
【請求項５】
前記携帯端末は、
前記端末側記録手段の空き容量がなくなったとき前記第２通知を発行する第２通知発行手段、
前記端末側記録手段に記録された所定のコンテンツデータを前記第２通知発行手段の発行処理に関連して削除する第２削除手段、および
前記第２削除手段の削除処理によって前記端末側記録手段に十分な空き容量が確保されたとき第３通知を発行する第３通知発行手段をさらに備え、
前記台座は前記第２供給手段の供給動作を前記第３通知に応答して起動する供給動作起動手段をさらに備える、請求項２ないし４のいずれかに記載の携帯端末側記録システム。
【請求項６】
前記携帯端末は、
前記バッテリの電圧が前記第１閾値よりも大きな第２閾値を上回るとき前記第２充電端子と前記バッテリとの接続を遮断する遮断手段、および
充電完了を示す情報を前記遮断手段の遮断処理に関連して表示する第３情報表示手段をさらに備える、請求項１ないし５のいずれかに記載の携帯端末記録システム。
【請求項７】
前記第１閾値は前記台座から転送されるコンテンツデータを前記端末側１記録手段に記録するために必要な電圧に相当する、請求項１ないし６のいずれかに記載の携帯端末記録システム。
【発明の詳細な説明】
【技術分野】
【０００１】
この発明は、携帯端末記録システムに関し、特にたとえば、携帯端末と台座とを含む、携帯端末記録システムに関する。
【背景技術】
【０００２】
この種の従来の携帯端末記録システムでは、所望の番組の放送時間に、ユーザがその番組を視聴できないとき、携帯端末から自宅に設置されたホームサーバにその番組の録画予約をしておく。そして、ユーザは、録画終了後に番組をホームサーバから携帯端末に転送し、転送した番組を携帯端末で再生して視聴する。
【発明の開示】
【発明が解決しようとする課題】
【０００３】
しかし、従来技術では、所望の番組を録画したホームサーバから、その番組を携帯端末に転送するとき、録画データの転送制御が複雑になるという問題があった。
【０００４】
それゆえに、この発明の主たる目的は、台座から携帯端末への番組の転送制御を簡略化することができる、携帯端末記録システムを提供することである。
【課題を解決するための手段】
【０００５】
請求項１の発明に従う携帯端末記録システムは、第１充電端子および第１データ端子を有する台座と、台座に装着されたときに第１充電端子および第１データ端子にそれぞれ接続される第２充電端子および第２データ端子を有する携帯端末とを備える携帯端末記録システムであって、台座は、充電電力を第１充電端子に供給する第１供給手段、コンテンツデータを第１データ端子に供給する第２供給手段、第２供給手段の供給動作を第１通知に応答して起動する起動手段、および第２供給手段の供給動作を第２通知に応答して停止する停止手段を備え、携帯端末は、第２充電端子に供給された充電電力によって充電されるバッテリ、第２データ端子に供給されたコンテンツデータを記録する端末側記録手段、バッテリの電圧が第１閾値以上であるか否かを携帯端末が台座に装着された状態において繰り返し判別する判別手段、判別手段の判別結果が否定的な結果から肯定的な結果に更新されたとき第１通知を発行する第１発行手段、および判別手段の判別結果が肯定的な結果から否定的な結果に更新されたとき第２通知を発行する第２発行手段を備える。
【０００６】
台座は第１充電端子および第１データ端子を有し、携帯端末は第２充電端子および第２データ端子を有する。第１充電端子および第１データ端子は、携帯端末が台座に装着されたときに、第２充電端子および第２データ端子にそれぞれ接続される。また、台座は、第１供給手段、第２供給手段、起動手段および停止手段を備え、携帯端末は、バッテリ、記録手段、判別手段、第１発行手段および第２発行手段を備える。
【０００７】
第１供給手段は充電電力を第１充電端子に供給し、第２供給手段はコンテンツデータを第１データ端子に供給する。バッテリは、第２充電端子に供給された充電電力によって充電される。また、端末側記録手段は、第２データ端子に供給されたコンテンツデータを記録する。判別手段は、バッテリの電圧が第１閾値以上であるか否かを携帯端末が台座に装着された状態において繰り返し判別する。判別手段の判別結果が否定的な結果から肯定的な結果に更新されると第１通知が第１発行手段によって発行され、判別手段の判別結果が肯定的な結果から否定的な結果に更新されると第２通知が第２発行手段によって発行される。起動手段は第２供給手段の供給動作を第１通知に応答して起動し、停止手段は第２供給手段の供給動作を第２通知に応答して停止する。
【０００８】
請求項２の発明に従う携帯端末記録システムは、請求項１に従属し、台座は、所望のコンテンツデータを受信する受信手段、および受信手段によって受信されたコンテンツデータを記録する台座側記録手段をさらに備え、第２供給手段は台座側記録手段に記録されたコンテンツデータを第１データ端子に供給する。
【０００９】
請求項３の発明に従う携帯端末記録システムは、請求項２に従属し、携帯端末は、記録予約情報を台座に送信する送信手段、および記録不能通知に対応する情報を表示する第１情報表示手段をさらに備え、台座は、台座側記録手段が送信手段によって送信された記録予約情報に従うコンテンツデータを記録できる空き容量を有しないとき記録不能通知を発行する記録不能通知発行手段をさらに備える。
【００１０】
請求項４の発明に従う携帯端末記録システムは、請求項２または３に従属し、台座は、 第２供給手段によって注目されたコンテンツデータを第２供給手段の供給動作が完了した後に台座側記録手段から削除する第１削除手段、および第１削除手段の削除処理に関連して完了通知を発行する完了通知発行手段をさらに備え、携帯端末は完了通知に対応する情報を表示する第２情報表示手段をさらに備える。
【００１１】
請求項５の発明に従う携帯端末記録システムは、請求項２ないし４のいずれかに従属し、携帯端末は、端末側記録手段の空き容量がなくなったとき第２通知を発行する第２通知発行手段、端末側記録手段に記録された所定のコンテンツデータを第２通知発行手段の発行処理に関連して削除する第２削除手段、および第２削除手段の削除処理によって端末側記録手段に十分な空き容量が確保されたとき第３通知を発行する第３通知発行手段をさらに備え、台座は第２供給手段の供給動作を第３通知に応答して起動する供給動作起動手段をさらに備える。
【００１２】
請求項６の発明に従う携帯端末記録システムは、請求項１ないし５のいずれかに従属し、携帯端末は、バッテリの電圧が第１閾値よりも大きな第２閾値を上回るとき第２充電端子とバッテリとの接続を遮断する遮断手段、および充電完了を示す情報を遮断手段の遮断処理に関連して表示する第３情報表示手段をさらに備える。
【００１３】
請求項７の発明に従う携帯端末記録システムは、請求項１ないし６のいずれかに従属し、第１閾値は台座から転送されるコンテンツデータを端末側１記録手段に記録するために必要な電圧に相当する。
【発明の効果】
【００２３】
この発明によれば、台座から携帯端末へのコンテンツデータの転送制御を簡略化することができる。
【００２４】
この発明の上述の目的，その他の目的，特徴および利点は、図面を参照して行う以下の実施例の詳細な説明から一層明らかとなろう。
【発明を実施するための最良の形態】
【００２５】
図１（Ａ）を参照して、この実施例のコンテンツ録画システム１０は、携帯電話１２とクレードル（“台座”ともいう）１４とを含む。ユーザは、携帯電話１２を操作して所望の番組の録画予約情報を作成し、ブルーツゥース（Bluetooth）を利用して、作成した録画予約情報をクレードル１４に送信する。クレードル１４は、受信した録画予約情報に基づいて、地上波デジタルテレビジョン放送（以下「テレビジョン放送」という）システムを用いて放送される番組の放送データをアンテナ１０４によって受信し、受信した番組を録画する。
【００２６】
次に、図１（Ｂ）を参照して、携帯電話１２がクレードル１４に装着されると、クレードル１４に録画された番組が携帯電話１２に転送される。番組の転送が完了すると、クレードル１４によって携帯電話１２のバッテリ８０が充電される。したがって、携帯電話１２は、クレードル１４に装着するだけで、バッテリ８０を充電できるだけでなく、クレードル１４に録画された番組を転送させて再生することができる。なお、携帯電話１２には、クレードル１４に装着された状態で、バッテリ８０の充電状態を色によって示すランプ３６および簡単なメッセージを表示することができるモニタ７８が設けられている。このため、ユーザは、携帯電話１２がクレードル１４に装着された状態でも、後述するようにバッテリ８０の充電状態および番組の転送に関する情報を知ることができる。
【００２７】
図２を参照して、携帯電話１２は、移動通信システムを用いて移動通信を行う移動通信回路１６と、テレビジョン放送システムを用いて放送された番組を受信する放送番組受信回路１８と、移動通信回路１６および放送番組受信回路１８の両方を制御するＣＰＵ４４とを含む。移動通信回路１６、放送番組受信回路１８およびＣＰＵ４４のいずれも、バッテリ８０に基づいて電源回路８２から供給される電力によって駆動される。
【００２８】
操作パネル３８によってダイヤル操作が行われると、ＣＰＵ４４は、移動通信回路１６に設けられた無線回路２２に発呼処理を命令する。この発呼処理によって相手方との接続が確立されると、通話可能状態となる。また、アンテナ２０を通して発呼信号を受信すると、無線回路２２はＣＰＵ４４に発呼信号を受信したことを伝える。ＣＰＵ４４は、音声メッセージの出力を放送番組受信回路１８に設けられたサウンドジェネレータ６８に命令するとともに、呼び出しメッセージを表すキャラクタ信号の発生を放送番組受信回路１８に設けられたキャラクタジェネレータ７６に命令する。これによって、呼び出し音がスピーカ６６から出力されるとともに、呼び出しメッセージがモニタ７４から出力される。かかる音声メッセージおよび呼び出しメッセージの出力を受けて、操作パネル３８により着信操作が行われると、相手方との接続が確立され、通話可能状態となる。
【００２９】
通話可能状態に移行すると、マイクロフォン３４によって捉えられた音声信号がアンプ３２によって増幅され、かつＡＤ／ＤＡ変換回路２６によってデジタル信号である音声データに変換される。変換された音声データは信号処理回路２４によってパケットデータつまり音声パケットに符号化され、符号化された音声パケットは無線回路２２によって変調される。変調された音声パケットは、アンテナ２０を介して相手方に発信される。相手方から送られてきた音声パケットは、アンテナ２０によって受信され、無線回路２２によって復調される。復調された音声パケットは、信号処理回路２４によって音声データに復号され、復号された音声データは、ＡＤ／ＤＡ変換回路２６によってアナログ信号である音声信号に変換される。変換された音声信号は、アンプ２８を介してスピーカ３０から出力される。
【００３０】
次に、番組を録画する場合について説明する。ＣＰＵ４４は、放送番組受信回路１８を起動するとともに、録画予約されたチャネルの選局をチューナ４８に命令する。この場合、チューナ４８は、アンテナ４６によって捉えられた放送データの中から所望のチャネルの放送データを抽出し、抽出したチャネルの放送データにＭＰＥＧフォーマットに従う復調処理を施す。そして、復調した放送データを、バッファメモリ５０を介してデマルチプレクサ５２に与える。
【００３１】
デマルチプレクサ５２は、与えられた放送データから音声パケットおよび映像パケットを抽出し、抽出した音声パケットおよび映像パケットをメモリカードコントローラ５４に与える。メモリカードコントローラ５４は、与えられた音声パケットおよび映像パケットをメモリカード５６に記録する。このようにして、メモリカード５６に番組が録画される。
【００３２】
さらに、メモリカード５６に録画された番組を再生する場合について説明する。ＣＰＵ４４は、放送番組受信回路１８を起動して、メモリカードコントローラ５４に番組の映像パケットおよび音声パケットの読み出しを命令する。メモリカードコントローラ５４は、番組の音声パケットおよび映像パケットを読み出し、読み出した音声パケットおよび映像パケットをＡＶセレクタ６０に与える。ＡＶセレクタ６０は、与えられた音声パケットおよび映像パケットをＨ２６４オーディオデコーダ６２およびＨ２６４ビデオデコーダ７０にそれぞれ与える。
【００３３】
Ｈ２６４オーディオデコーダ６２は、与えられた音声パケットをデコードして音声データを生成し、生成した音声データをＤ／Ａ変換器６４に与える。Ｄ／Ａ変換器６４は、与えられた音声データをアナログ信号である音声信号に変換し、変換した音声信号をスピーカ６６に与える。この結果、所望のチャネルで放送される番組の音声がスピーカ６６から出力される。
【００３４】
Ｈ２６４ビデオデコーダ７０は、与えられた映像パケットをデコードして映像データを生成し、生成した映像データをＮＴＳＣエンコーダ７２に与える。ＮＴＳＣエンコーダ７２は、与えられた映像データをコンポジット映像信号に変換し、変換したコンポジット映像信号をモニタ７４に与える。この結果、所望のチャネルで放送される番組の映像が、モニタ７４に表示される。このようにして、ユーザは、メモリカード５６に録画された番組を再生することができる。
【００３５】
また、番組を直接視聴する場合について説明する。上述の録画の場合と同様にして、チューナ４８は、デマルチプレクサ５２に所望のチャネルの放送データを与える。デマルチプレクサ５２は、与えられた放送データから音声パケットおよび映像パケットを抽出し、抽出した音声パケットおよび映像パケットをＡＶセレクタ６０に与える。そして、ＡＶセレクタ６０が、与えられた音声パケットおよび映像パケットをＨ２６４オーディオデコーダ６２およびＨ２６４ビデオデコーダ７０にそれぞれ与えると、上述の再生の場合と同様にして、スピーカ６６およびモニタ７４から音声および映像がそれぞれ出力される。このようにして、ユーザは、番組を直接視聴することができる。
【００３６】
携帯電話１２は、無線回路２２を利用して、ブルーツゥースにより、クレードル１４との間で録画予約情報などの情報をやり取りする。さらに、携帯電話１２は、クレードル１４に装着された状態で、端子Ｓ１を介して、クレードル１４から転送される番組を受け入れたり、クレードル１４との間で情報をやり取りしたりする。また、バッテリ８０は、端子Ｓ２およびスイッチＳＷを介して、クレードル１４から供給される電力によって充電される。これらの動作の詳細については、後述する。
【００３７】
図３を参照して、携帯電話１２との間でブルーツゥースを利用した通信を行う場合のクレードル１４の動作について説明する。アンテナ９２を通して携帯電話１２からの情報を受信したとき、無線回路９６はＣＰＵ９４に情報を受信したことを伝える。また、携帯電話１２に情報を送信するとき、ＣＰＵ９４は、無線回路９６に対して、携帯端末１２に情報を送信することを命じる。送信を命じられた無線回路９６は、アンテナ９２を介して携帯電話１２に情報を送信する。このようにして、クレードル１４は、携帯電話１２との間で情報をやり取りすることができる。
【００３８】
次に、クレードル１４に番組を録画する場合について説明する。携帯電話１２から受信した録画予約情報および時計１０２からの時刻情報に基づいて、ＣＰＵ９４は、放送番組受信回路９０を起動するとともに、チャネルの選局をチューナ１０６に命令する。この場合、チューナ１０６は、アンテナ１０４によって捉えられた放送データの中から所望のチャネルの放送データを抽出し、抽出したチャネルの放送データにＭＰＥＧフォーマットに従う復調処理を施す。チューナ１０６は、復調された放送データを、バッファメモリ１０８を介してデマルチプレクサ１１０に与える。デマルチプレクサ１１０は、与えられた放送データから音声パケットおよび映像パケットを抽出し、抽出した音声パケットおよび映像パケットをメモリコントローラ１１２に与える。メモリコントローラ１１２は、与えられた音声パケットおよび映像パケットをフラッシュメモリ１１４に記録する。このようにして、番組がフラッシュメモリ１１４に録画される。
【００３９】
また、クレードル１４は、携帯電話１２が装着された状態で、端子Ｓ３を介して、番組を携帯電話１２に転送したり、携帯電話１２との間で情報をやり取りしたりする。クレードル１４はまた、携帯電話１２のバッテリ８０を充電するため、充電回路１００から端子Ｓ４を介して、携帯電話１２に電力を供給する。これらの動作の詳細については、後述する。
【００４０】
図４を参照して、携帯電話１２の外観について説明する。携帯電話１２は、その中央部で折り畳むことができるように２つのケースＣ１およびＣ２から構成されている。ケースＣ１にはモニタ７４が設けられている。モニタ７４には、録画予約画面、録画された所望の番組などが表示される。また、ケースＣ１のモニタ７４が設けられている面と反対側の面には、ランプ３６およびモニタ７８が設けられている。
【００４１】
ケースＣ２には、その下部にテンキー３８ａが配置されている。ユーザは、このテンキー３８ａを操作することにより、所望のチャネルのチャネル番号を入力したり、文字や電話番号を入力したりすることができる。また、テンキー３８ａの上部には、上下左右方向にカーソルを移動させることができるカーソルキー３８ｂ〜３８ｅが設けられている。
【００４２】
カーソルキー３８ｂ〜３８ｅによってその周囲を囲まれた中央には、セットキー３８ｆが設けられている。セットキー３８ｆは、カーソルキー３８ｂ、３８ｃによって選択された内容を確定するときに操作される。オフフックキー３８ｇは、電話着信に応答して通話を開始するときに操作されるキーである。オンフックキー３８ｈは、通話が終了したとき、通信回線との接続を切断するためのキーであり、携帯電話１０の電源キーも兼ねている。
【００４３】
さらに、カーソルキー３８ｂ〜３８ｅの上部には、ＴＶボタン３８ｉ、録画ボタン３８ｊおよび再生ボタン３８ｋが設けられている。ＴＶボタン３８ｉは、チューナ４４の電源をオン／オフするときに操作するボタンであり、ＴＶボタン３８ｉを操作することによりテレビジョン放送の放送データの受信を開始したり、終了したりすることができる。録画ボタン３８ｊは、番組の録画予約に必要な録画予約情報を入力できる予約設定画面をモニタ７４に表示するときに操作するボタンであり、再生ボタン３８ｋは、録画した番組を再生してモニタ７４に表示するときに操作するボタンである。
【００４４】
携帯電話１２の側面には、端子Ｓ１および端子Ｓ２が設けられている。携帯電話１２をクレードル１４に装着すると、端子Ｓ１はクレードル１４の端子３と、端子Ｓ２はクレードル１４の端子Ｓ４とそれぞれ接続される。このため、端子Ｓ１を介して、クレードル１４に録画された番組が携帯電話１２に取り込まれたり、クレードル１４との間で情報がやり取りされたりする。また、端子Ｓ２を介してクレードル１４から供給される電力によって、バッテリ８０が充電される。
【００４５】
図５を参照して、録画ボタン３８ｊが操作されると、予約設定画面がモニタ７４に表示される。ユーザは、テンキー３８ａおよびカーソルキー３８ｂ〜３８ｅを使用して録画予約情報を予約設定画面に入力する。つまりユーザは、所望の番組が放送されるチャネルのチャネル番号、番組の放送日時、放送開始時刻および放送終了時刻を予約設定画面に入力する。
【００４６】
ユーザが、録画予約情報を入力した後、予約設定画面の左下に表示された保存キーを操作すると、予約設定画面に入力された録画予約情報がフラッシュメモリ４０に記録される。そして、ＣＰＵ４４は、時計４２から与えられる時刻情報に基づき、番組の放送開始時刻になると、チューナ４８の電源をオンしてメモリカード５６への録画を開始し、番組の放送終了時刻になると、チューナ４８の電源をオフして録画を終了する。この結果、所望の番組が携帯電話１２のメモリカード５６に録画されるので、ユーザは、再生ボタン３８ｋを操作して、録画された番組を視聴することができる。
【００４７】
また、ユーザは、録画予約情報を入力した後、予約設定画面の右下に表示された送信キーを操作すると、携帯電話１２はブルーツゥースを利用して録画予約情報をクレードル１４に送信し、クレードル１４は受信した録画予約情報に基づいて番組を録画する。
【００４８】
図６を参照して、携帯電話１２からクレードル１４に所望の番組の録画予約情報を送信し、受信した録画予約情報に基づいてクレードル１４が番組を録画する場合の携帯電話１２とクレードル１４との関係を説明する。まず、モニタ７４に表示された予約設定画面が表示されると、ユーザはテンキー３８ａおよびカーソルキー３８ｂ〜３８ｅを操作して、録画したい番組の録画予約情報を入力する。録画予約情報の入力が終わると、携帯電話１２は、入力された録画予約情報をクレードル１４に送信する。
【００４９】
クレードル１４は、受信した録画予約情報に基づいて、番組を録画できるだけの空き容量がフラッシュメモリ１１４にあるかどうかをチェックする。その結果、番組を録画できるだけの空き容量がフラッシュメモリ１１４にある場合、クレードル１４は、録画予約情報をフラッシュメモリ９８に記録し、録画予約完了通知を携帯電話１２に送信する。携帯電話１２は、録画予約完了通知を受信すると、モニタ７４に“クレードルに録画予約しました”と表示する。クレードル１４は、フラッシュメモリ９８に記録された録画予約情報と時計１０２から与えられる時刻情報とに基づいて、所望の番組をフラッシュメモリ１１４に録画する。なお、上述の携帯電話１２とクレードル１４との間の録画予約情報などの情報の送受信は、すべてブルーツゥースを利用して行われる。
【００５０】
図７を参照して、クレードル１４に録画された番組を携帯電話１２に転送する場合の携帯電話１２とクレードル１４との関係について説明する。クレードル１４に携帯電話１２が装着されると、携帯電話１２はクレードル１４に対して、録画された番組の転送を要求する。クレードル１４は、転送要求を受けると、フラッシュメモリ１１４に録画されている番組の携帯電話１２への転送を開始する。
【００５１】
携帯電話１２は、番組の転送中にメモリカード５６の空き容量がなくなったことを検出すると、クレードル１４に対して番組の転送を中止するよう通知する。クレードル１４は、転送中止通知を受けると、携帯電話１２への番組の転送を中止する。携帯電話１２は、メモリカード５６に空き容量を確保するため不要な番組を削除する。その結果、携帯電話１２は、メモリカード５６に空き容量が確保できると、クレードル１４に対して空き容量が確保できたことを通知する。クレードル１４は、この通知を受けて携帯電話１２への番組の転送を再開する。
【００５２】
また、携帯電話１２は、クレードル１４から転送されてくる番組をメモリカード５６に記録できない程度にまでバッテリ８０の電圧が低下したことを検出すると、クレードル１４に対して番組の転送を中止するよう通知する。クレードル１４は、転送中止通知を受けると、携帯電話１２への番組の転送を中止する。携帯電話１２は、バッテリ８０の電圧がクレードル１４から転送されてくる番組をメモリカード５６に記録できるような電圧になるまで、バッテリ８０を充電する。携帯電話１２は、バッテリ８０の充電が終了すると、クレードル１４に対してバッテリ８０の充電が終了したことを通知する。クレードル１４は、携帯電話１２からの通知を受けると、携帯電話１２への番組の転送を再開する。
【００５３】
このようにして、クレードル１４は、フラッシュメモリ１１４に記録されたすべての番組を携帯端末１２に転送し、番組の転送が完了したことを携帯電話１２に通知する。携帯電話１２は、クレードル１４からの通知を受けると、モニタ７８に“番組の転送が完了しました”と表示する。
【００５４】
なお、上述の携帯電話１２とクレードル１４との間で行われるメモリカード５６の空き容量、バッテリ８０の電圧に関する情報の通知は、番組の転送と同様にして、携帯電話１２の端子Ｓ１およびクレードル１４の端子Ｓ３を介して行われる。つまり、携帯電話１２からクレードル１４に情報を通知する場合、携帯電話１２の情報は、ＣＰＵ４４によって通信Ｉ／Ｆ５８に与えられ、通信Ｉ／Ｆ５８に与えられた情報は端子Ｓ１を介してクレードル１４に与えられる。クレードル１４に与えられた情報は、端子Ｓ３を介して通信Ｉ／Ｆ１１６に与えられる。通信Ｉ／Ｆ１１６に与えられた情報は、ＣＰＵ９４に通知されることによって、情報が携帯電話１２からクレードル１４に通知される。
【００５５】
同様に、クレードル１４から携帯電話１２に情報を通知する場合、クレードル１４の情報は、ＣＰＵ９４によって通信Ｉ／Ｆ１１６に与えられ、通信Ｉ／Ｆ１１６に与えられた情報は端子Ｓ３を介して携帯電話１２に与えられる。携帯電話１２に与えられた情報は、端子Ｓ１を介して通信Ｉ／Ｆ５８に与えられる。通信Ｉ／Ｆ５８に与えられた情報は、ＣＰＵ４４に通知されることによって、情報がクレードル１４から携帯電話１２に通知される。
【００５６】
携帯電話１２のＣＰＵ４４は、フラッシュメモリ４０に記録された制御プログラムに従って、図８のフロー図で示される録画処理を実行する。ステップＳ１では、モニタ７４に予約設定画面を表示する。ステップＳ３では、表示された予約設定画面への録画予約情報の入力が終了するまで待機する。録画予約情報の入力は、ユーザがテンキー３８ａおよびカーソルキー３８ｂ〜３８ｅを操作することにより行われる。
【００５７】
ステップＳ５では、予約設定画面の保存キーが操作されたか否かを判断する。その結果、ＮＯと判断した場合は、後述するステップＳ２７に進む。一方、ＹＥＳと判断した場合は、ステップＳ７で、メモリカード５６の空き容量を検出する。ステップＳ９では、入力された録画予約情報に基づいて、検出した空き容量が番組を録画するために十分な容量であるか否かを判断する。その結果、ＮＯと判断した場合は、ステップＳ１１で、モニタ７４に“携帯電話のメモリ不足のため録画できません”と表示した後、処理を終了する。一方、ステップＳ９でＹＥＳと判断したとき、録画予約情報に基づいてメモリカード５６に番組を録画できるので、ステップＳ１３で録画予約情報をフラッシュメモリ４０に記録する。
【００５８】
ステップＳ１５では、時計４２から与えられる時刻情報と記録された録画予約情報とに基づき、録画開始時刻になるまで待機する。録画開始時刻になると、ステップＳ１７でチューナ４８の電源をオンし、ステップＳ１９で、録画予約情報のチャネルを選局する。ステップＳ２１では、選局したチャネルで放送されている番組をメモリカード５６に録画する。そして、ステップＳ２３では、時計４２から与えられる時刻情報と記録された録画予約情報とに基づき、録画終了時刻になったか否かを判断し、ＮＯと判断した場合はステップＳ２１に戻る。一方、ＹＥＳと判断した場合は、ステップＳ２５でチューナ４８の電源をオフして、処理を終了する。
【００５９】
ステップＳ５でＮＯと判断した場合、つまり予約設定画面の保存キーが操作されていなと判断した場合は、ステップＳ２７で、予約設定画面の送信キーが操作されたか否かを判断する。その結果、ＮＯと判断した場合は、ステップＳ５に戻る。一方、ＹＥＳと判断した場合は、ステップＳ２９で、録画予約情報をクレードル１４に送信する。ステップＳ３１では、クレードル１４からのエラー通知を受信したか否かを判断する。ここで、クレードル１４からのエラー通知とは、クレードル１４が録画予約情報に基づいて番組を録画しようとしても、フラッシュメモリ１１４の空き容量が少ないため番組を録画できないという通知である。ＹＥＳと判断した場合は、モニタ７４に“クレードルのメモリ不足のため録画できません”と表示し、処理を終了する。一方、ステップＳ３１でＮＯと判断した場合は、ステップＳ３５で、クレードル１４から録画予約完了通知を受信したか否かを判断する。その結果、ＮＯと判断した場合は、ステップＳ３１に戻る。一方、ＹＥＳと判断した場合は、ステップＳ３７で、モニタ４１に“クレードルに録画予約しました”と予約完了通知を表示し、処理を終了する。
【００６０】
携帯電話１２のＣＰＵ４４は、またフラッシュメモリ４０に記録された制御プログラムに従って、図９〜図１１のフロー図で示される番組の転送およびバッテリ８０の充電処理を実行する。携帯電話１２がクレードル１４に装着されると、ステップＳ４１では、クレードル１４に対して、フラッシュメモリ１１４に記録された番組の転送を要求する。ステップＳ４３では、クレードル１４から番組が転送されたか否かを判断する。その結果、ＮＯと判断した場合は、ステップＳ４５で、フラッシュメモリ１１４には、番組は無いという通知がクレードル１４からあったか否かを判断する。その結果、ＮＯと判断した場合は、ステップＳ４３に戻る。一方、ＹＥＳと判断したときは、ステップＳ４７で、モニタ７８に“クレードルには番組が録画されていません”と表示し、後述するステップＳ６１に進む。
【００６１】
ステップＳ４３で、ＹＥＳと判断した場合、つまりクレードル１４から所定のデータ量の番組が転送された場合は、ステップＳ４９で、メモリカード５６の空き容量を検出する。そして、ステップＳ５１では、検出された空き容量が“０”になったか否かを判断する。その結果、ＹＥＳと判断した場合は、後述するステップＳ７５に進む。一方、ＮＯと判断した場合は、ステップＳ５３でバッテリ８０の電圧を測定し、測定したバッテリ８０の電圧が閾値ＶＴＨ１よりも大きいか否かを判断する。ここで、閾値ＶＴＨ１は、転送された番組をメモリカード５６に記録するためにバッテリ８０が最低限保持していなければならない電圧である。その結果、ＮＯと判断した場合は、後述するステップＳ９３に進む。一方、ＹＥＳと判断した場合、ステップＳ５７で、クレードル１４から番組の転送完了通知があったか否かを判断する。その結果、ＮＯと判断した場合は、ステップＳ４３に戻り、番組の転送を継続する。一方、ＹＥＳと判断した場合は、フラッシュメモリ１１４に記録されていた番組が、すべて携帯電話１２に転送されたので、ステップＳ５９で、モニタ７８に“番組の転送が完了しました”と表示する。
【００６２】
次に、ステップＳ６１では、スイッチＳＷをオンして、クレードル１４からバッテリ８０への充電を開始する。ステップＳ６３では、バッテリ８０が充電中であることを示すため、ランプ３６を赤色点灯させる。このことにより、ユーザはバッテリ８０が充電中であることを知る。ステップＳ６５では、バッテリ８０の電圧測定を行い、ステップＳ６７では測定したバッテリ８０の電圧が閾値ＶＴＨ２（閾値ＶＴＨ２≧閾値ＶＴＨ１）よりも大きいか否かを判断する。その結果、ＮＯと判断した場合は、ステップＳ６５に戻る。一方、ＹＥＳと判断した場合、ステップＳ６９でスイッチＳＷをオフし、バッテリ８０の充電を完了する。ステップＳ７１で、バッテリ８０の充電が完了したことを知らせるため、ランプ３６を緑色点灯させる。そして、ステップＳ７３で、クレードル１４に、バッテリ８０の充電が完了したことを通知し、処理を終了する。
【００６３】
ステップＳ５１でＹＥＳと判断した場合、つまりメモリカード５６の空き容量が“０”になり、転送された番組を記録できなくなった場合は、ステップＳ７５に進む。ステップＳ７５では、クレードル１４に対し、番組の転送を中止するよう通知する。ステップＳ７７では、モニタ７８に“携帯電話のメモリ不足のため番組を転送できません”と表示する。ステップＳ７９では、クレードル１４に対し、フラッシュメモリ１１４に記録されている番組のデータ量の通知を要求する。そして、ステップＳ８１では、クレードル１４から番組のデータ量を取得するまで待機する。ステップＳ８３では、メモリカード５６に記録された番組のうち、所定のデータ量の番組を消去する。ステップＳ８５では、メモリカード５６の空き容量を検出する。ステップＳ８７では、検出したメモリカード５６の空き容量がクレードル１４から通知された番組のデータ量よりも大きいか否かの判断を行う。その結果、ＮＯと判断した場合はステップＳ８３に戻り、メモリカード５６の番組をさらに削除して、その空き容量を大きくする。一方、ＹＥＳと判断した場合は、ステップＳ８９で、クレードル１４に対し、メモリカード５６に必要な空き容量が確保できたことを通知する。ステップＳ９１では、モニタ７８に“番組の転送に必要な空き容量が確保できました”と表示する。このため、ユーザは番組の転送が可能になったことを知ることができる。このようにして、メモリカード５６に、番組の転送に必要な空き容量が確保されたので、ステップＳ４１に戻る。
【００６４】
また、ステップＳ５５でＮＯと判断した場合、つまり転送された番組をメモリカード５６に記録するために必要な電力がバッテリ８０になくなった場合は、ステップＳ９３で、クレードル１４に対して番組の転送を中止するよう通知する。また、ステップＳ９５では、モニタ７８に“バッテリの電圧低下のため番組を転送できません”と表示する。ステップＳ９７では、バッテリ８０を充電するためスイッチＳＷをオンする。その結果、端子Ｓ２を介してクレードル１４から電力がバッテリ８０に供給される。ステップＳ９９では、バッテリ８０の電圧を測定し、ステップＳ１０１では、測定したバッテリ８０の電圧が閾値ＶＴＨ１よりも大きいか否かの判断をする。その結果、ＮＯと判断した場合は、充電中のバッテリ８０の電圧を測定するためステップＳ９９に戻る。一方、ＹＥＳと判断した場合、ステップＳ１０３で、スイッチＳＷをオフしてバッテリ８０の充電を終了する。ステップＳ１０５では、携帯電話１２に設けられたランプ３６を黄色に点灯する。この結果、ユーザは、携帯電話１２が転送された番組をメモリカード５６に記録できるようになったことを知ることができる。ステップＳ１０７では、クレードル１４に対し、バッテリ８０の充電が完了したことを通知し、ステップＳ４１に戻る。
【００６５】
なお、ここでは携帯電話１２への番組の転送が完了すると、引き続いてバッテリ８０の充電を行っている。しかし、ユーザは、モニタ７８の表示により番組の転送が完了したことを知ると、すぐに携帯電話１２をクレードル１４から取り外してもよい
クレードル１４のＣＰＵ９４は、またフラッシュメモリ９８に記録された制御プログラムに従って、図１２のフロー図で示される番組の録画処理を実行する。ステップＳ１１１では、携帯電話１２から録画予約情報を受信するまで待機する。録画予約情報を受信すると、ステップＳ１１３で、フラッシュメモリ１１４の空き容量を検出する。ステップＳ１１５では、検出した空き容量と受信した録画予約情報とに基づき、録画予約した番組をフラッシュメモリ１１４の空き領域に録画できるか否かを判断する。その結果、ＮＯと判断した場合、つまり受信した番組を記録できる空き容量がフラッシュメモリ１１４にない場合には、ステップＳ１１７で、ブルーツゥースを利用して携帯電話１２にエラー通知を送信し、ステップＳ１１１に戻る。
【００６６】
一方、ステップＳ１１５でＹＥＳと判断した場合は、ステップＳ１１９で、受信した録画予約情報をフラッシュメモリ１１４に記録する。ステップＳ１２１では、ブルーツゥースを利用して携帯電話１２に録画予約完了通知を送信する。そして、ステップＳ１２３では、録画予約情報と時計１０２から与えられる時刻情報とに基づき、録画開始時刻になるまで待機する。録画開始時刻になると、ステップＳ１２５でチューナ１０６の電源をオンし、ステップＳ１２７で録画予約情報のチャネルを選局する。ステップＳ１２９では、選局されたチャネルで放送されている番組の録画を行う。ステップＳ１３１では、録画予約情報と時計１０２から与えられた時刻情報とに基づき、録画終了時刻になったか否かを判断する。その結果、ＮＯと判断した場合は、ステップＳ１２９に戻り、録画を継続する。一方、ＹＥＳと判断した場合は、ステップＳ１３３に進んでチューナ１０６の電源をオフして、録画処理を終了する。
【００６７】
クレードル１４のＣＰＵ９４は、またフラッシュメモリ９８に記録された制御プログラムに従って、図１３のフロー図で示される番組の転送処理を実行する。クレードル１４に携帯電話１２が装着されると、ステップＳ１４１では、携帯電話１２から番組の転送要求が通知されるまで待機する。番組の転送要求があると、ステップＳ１４３では、フラッシュメモリ１１４に番組が記録されているか否かを検出する。その結果、ＮＯと判断した場合は、ステップＳ１４５で、携帯電話１２に対し、フラッシュメモリ１１４に番組がないことを通知し、後述するステップＳ１５７に進む。
【００６８】
一方、ステップＳ１４３でＹＥＳと判断した場合、フラッシュメモリ１１４に記録された番組を所定のデータ量だけ携帯電話１２に転送する。ステップＳ１４９では、携帯電話１２から番組の転送中止通知があったか否かを判断する。その結果、ＹＥＳと判断した場合は、後述するステップＳ１５９に進む。一方、ＮＯと判断した場合は、ステップＳ１５１で、番組の転送が完了したか否かの判断を行う。その結果、ＮＯと判断した場合は、ステップＳ１４７に戻り、番組の転送を継続する。一方、ＹＥＳと判断したときは、ステップＳ１５３で、携帯電話１２に転送した番組をフラッシュメモリ１１４から削除する。ステップＳ１５５では、携帯電話１２に対し、番組の転送が完了したことを通知する。ステップＳ１５７では、携帯電話１２からバッテリ８０の充電完了通知があるまで待機し、充電完了通知があると処理を終了する。
【００６９】
ステップＳ１４９でＹＥＳと判断した場合、つまり携帯電話１２から番組の転送中止を求める通知があった場合は、ステップＳ１５９で番組の転送を中止する。そして、ステップＳ１６１では、フラッシュメモリ１１４に記録されている番組のデータ量の要求が携帯電話１２からあったか否かを判断する。その結果、ＮＯと判断した場合は、後述するステップＳ１６７に進む。一方、ＹＥＳと判断した場合は、ステップＳ１６３で、フラッシュメモリ１１４に記録されている番組のデータ量を検出し、ステップＳ１６５で、検出した番組のデータ量を携帯電話に通知する。
【００７０】
ステップＳ１６７では、携帯電話１２からバッテリ８０の充電が終了したとの通知があったか否か、つまりバッテリ８０の電圧が閾値ＶＴＨ１よりも大きくなったとの通知があったか否かを判断する。その結果、ＹＥＳと判断した場合は、番組を携帯電話１２に転送するため、ステップＳ１４７に戻る。一方、ＮＯと判断した場合は、ステップＳ１６９で、メモリカード５６に空き容量を確保したとの通知があったか否かを判断する。その結果、ＮＯと判断した場合は、ステップＳ１６７に戻る。一方、ＹＥＳと判断した場合は、番組を携帯電話１２に転送するため、ステップＳ１４７に戻る。
【００７１】
以上の説明からわかるように、クレードル１４は、番組を受信し、受信した番組をフラッシュメモリ１１４に録画する。そして、クレードル１４は、携帯電話１０が装着されると、フラッシュメモリ１１４に記録された番組を携帯電話１２に転送する。携帯電話１２は、クレードル１４から転送された番組を受け付け、受け付けたデータをメモリカード５６に記録する。つまり、携帯電話１２をクレードル１４に装着するだけで、クレードル１４によって録画された番組は、携帯電話１２に転送されて保存される。このため、クレードル１４から携帯端末１２への番組の転送制御を簡略化することができる。
【００７２】
また、クレードル１４から携帯電話１２への番組の転送中に、携帯電話１２はメモリカード５６に空き容量がなくなったことを検出すると、クレードル１４に対して番組の転送中止を要求する。そして、メモリカード５６の不要な番組を削除することによってメモリカード５６に空き容量を確保すると、クレードル１４から番組を転送させる。この場合、番組の転送中にメモリカード５６に空き容量がなくなっても、携帯電話１２は自動的に空き容量を確保することによって、クレードル１４から転送された番組をメモリカード５６に記録することができる。
【００７３】
さらに、クレードル１４から携帯電話１２への番組の転送中に、携帯電話１２は、バッテリ８０の電圧が第１閾値ＶＴＨ１よりも小さくなったことを検出すると、クレードル１６に対して番組の転送中止を要求する。そして、バッテリ８０の充電を行い、バッテリ８０の電圧が第１閾値ＶＴＨ１よりも大きくなると、携帯電話１２は、クレードル１４から番組を転送させる。この場合、番組の転送中にバッテリ８０の電圧が第１閾値ＶＴＨ１よりも小さくなっても、携帯電話１２は自動的にバッテリ８０を充電することよって、クレードル１４から転送された番組をメモリカード５６に録画することができる。
【００７４】
なお、上述の実施例では、ブルーツゥースを利用して携帯電話１２からクレードル１４に録画予約情報を送信している。しかし、クレードル１４に電話番号を割り当てることにより、携帯電話１２からの録画予約情報の送信を、電話回線を介して行うこともできる。この場合、携帯電話１２とクレードル１４との距離が遠く離れていても、クレードル１４に所望の番組を録画させることができる。
【図面の簡単な説明】
【００７５】
【図１】この発明の一実施例を示す図解図である。
【図２】図１実施例の携帯電話のブロック図である。
【図３】図１実施例のクレードルのブロック図である。
【図４】図１実施例の携帯電話の外観を示す図解図である。
【図５】図１実施例の携帯電話のモニタの画面を示す図解図である。
【図６】図１実施例の動作の流れを示す図解図である。
【図７】図１実施例の動作の他の流れを示す図解図である。
【図８】図１実施例の動作の一部を示すフロー図である。
【図９】図１実施例の動作の他の一部を示すフロー図である。
【図１０】図１実施例の動作のその他の一部を示すフロー図である。
【図１１】図１実施例の動作のさらにその他の一部を示すフロー図である。
【図１２】図１実施例の動作の他の一部を示すフロー図である。
【図１３】図１実施例の動作のその他の一部を示すフロー図である。
【符号の説明】
【００７６】
１０…コンテンツ録画システム
１２…携帯電話
１４…クレードル
２２…無線回路
４４…ＣＰＵ
５６…メモリカード
５８…通信Ｉ／Ｆ
７６…バッテリ
８４…ＣＰＵ
８６…無線回路
９０…充電回路
１０４…フラッシュメモリ
１０６…通信Ｉ／Ｆ
【図１】
0004086818.tif 000002
【図２】
0004086818.tif 000003
【図３】
0004086818.tif 000004
【図４】
0004086818.tif 000005
【図５】
0004086818.tif 000006
【図６】
0004086818.tif 000007
【図７】
0004086818.tif 000008
【図８】
0004086818.tif 000009
【図９】
0004086818.tif 000010
【図１０】
0004086818.tif 000011
【図１１】
0004086818.tif 000012
【図１２】
0004086818.tif 000013
【図１３】
0004086818.tif 000014